(57)【要約】【課題】マルチキャリア通信におけるスループットを改善すること。【解決手段】グループ制御部（１０７）は、パタン情報に従って、複数のサブキャリアグループにおいてＣＱＩ報告対象のサブキャリアグループを周期的に変化させる制御を行う。例えば、グループ制御部（１０７）は、フレーム毎またはＴＴＩ（Transmission Time Interval）毎にＣＱＩ報告対象のサブキャリアグループを変化させる。また、グループ制御部（１０７）は、各フレーム毎に、ＣＱＩ報告対象のサブキャリアグループを、ＳＩＮＲ検出部（１０８）およびＣＱＩ生成部（１０９）に指示する。【選択図】図１
2010268528.tif 000002
【特許請求の範囲】
【請求項１】
周波数領域において連続する複数のサブキャリアをグループ化した複数のグループ毎に、ＣＱＩを生成する生成処理と、
すべての前記グループ毎の前記ＣＱＩを、それぞれ、非連続な時間リソースで所定の周期に従って順に報告する報告処理と、
を制御する集積回路。
【請求項２】
前記報告処理は、すべての前記グループ毎の前記ＣＱＩを、循環して繰り返し報告する、
請求項１に記載の集積回路。
【請求項３】
前記報告処理は、前記ＣＱＩを報告する対象である前記グループを、前記所定の周期に従って変更する、
請求項１又は２に記載の集積回路。
【請求項４】
前記報告処理は、前記グループ毎の前記ＣＱＩのうちの一つのＣＱＩを、前記所定の周期よりも長い第２の周期に従って、繰り返して報告する、
請求項１から３のいずれかに記載の集積回路。
【請求項５】
前記報告処理は、すべての前記グループ毎の前記ＣＱＩのそれぞれを、前記所定の周期よりも長い第２の周期であって、同一の前記第２の周期に従って、繰り返して報告する、
請求項１から４のいずれかに記載の集積回路。
【請求項６】
前記報告処理は、前記ＣＱＩを、所定の間隔で報告する、
請求項１から５のいずれかに記載の集積回路。
【請求項７】
前記報告処理は、前記ＣＱＩを、所定数のＴＴＩ毎に報告する、
請求項１から６のいずれかに記載の集積回路。
【請求項８】
前記グループは、前記周波数領域で連続する複数のサブキャリアから構成される、
請求項１から７のいずれかに記載の集積回路。
【請求項９】
前記グループは、それぞれが前記周波数領域で連続する複数のサブキャリアからなる、複数のリソースブロックから構成される、
請求項１から８のいずれか記載の集積回路。
【請求項１０】
前記グループは、それぞれが周波数領域で連続する複数のサブキャリアからなる、複数のサブバンドから構成される、
請求項１から９のいずれかに記載の集積回路。
【請求項１１】
前記ＣＱＩの報告の周期又はタイミングを示す情報を受信する受信処理をさらに制御し、
前記報告処理は、前記情報に基づいて、前記ＣＱＩを報告する、
請求項１から１０のいずれかに記載の集積回路。
【請求項１２】
周波数領域において連続する複数のサブキャリアを用いて、移動局装置にデータを送信し、ＣＱＩの報告の周期又はタイミングを示す情報を、前記移動局装置に送信する送信処理と、
前記複数のサブキャリアをグループ化した複数のグループ毎のＣＱＩであって、前記移動局装置から、前記情報に基づいて、それぞれが非連続な時間リソースで所定の周期に従って順に報告される、すべての前記グループ毎の前記ＣＱＩを、受信する受信処理と、
を制御する集積回路。
【請求項１３】
前記受信処理は、複数の前記移動局装置から送信され、多重された複数のＣＱＩを受信する、
請求項１２に記載の集積回路。
【請求項１４】
すべての前記グループ毎の前記ＣＱＩが、循環して繰り返し報告される、
請求項１２又は１３に記載の集積回路。
【請求項１５】
前記ＣＱＩが報告される対象である前記グループが、前記所定の周期に従って変更される、
請求項１２から１４のいずれかに記載の集積回路。
【請求項１６】
前記グループ毎の前記ＣＱＩのうちの一つのＣＱＩが、前記所定の周期よりも長い第２の周期に従って、繰り返して報告される、
請求項１２から１５のいずれかに記載の集積回路。
【請求項１７】
すべての前記グループ毎の前記ＣＱＩのそれぞれが、前記所定の周期よりも長い第２の周期であって、同一の前記第２の周期に従って、繰り返して報告される、
請求項１２から１６のいずれかに記載の集積回路。
【請求項１８】
前記グループは、前記周波数領域で連続する複数のサブキャリアから構成される、
請求項１２から１７のいずれかに記載の集積回路。
【請求項１９】
前記グループは、それぞれが前記周波数領域で連続する複数のサブキャリアからなる、複数のリソースブロックから構成される、
請求項１２から１８のいずれかに記載の集積回路。
【請求項２０】
前記グループは、それぞれが周波数領域で連続する複数のサブキャリアからなる、複数のサブバンドから構成される、
請求項１２から１９のいずれかに記載の集積回路。
【発明の詳細な説明】
【技術分野】
【０００１】
本発明は、集積回路に関する。
【背景技術】
【０００２】
近年、移動体通信においては、音声以外に画像やデータ等の様々な情報が伝送の対象になっている。これに伴い、高信頼かつ高速な伝送に対する必要性がさらに高まっている。しかし、移動体通信において高速伝送を行う場合、マルチパスによる遅延波の影響が無視できなくなり、周波数選択性フェージングにより伝送特性が劣化する。
【０００３】
周波数選択性フェージング対策技術の一つとして、ＯＦＤＭ（Orthogonal Frequency Division Multiplexing）方式に代表されるマルチキャリア通信が注目されている。マルチキャリア通信は、周波数選択性フェージングが発生しない程度に伝送速度が抑えられた複数のサブキャリアを用いてデータを伝送することにより、高速伝送を行う技術である。特に、ＯＦＤＭ方式は、データが配置される複数のサブキャリアの周波数が相互に直交しているため、マルチキャリア通信の中でも最も周波数利用効率が高く、また、比較的簡単なハードウェア構成で実現できる。このため、ＯＦＤＭ方式は、セルラ方式の移動体通信システムに採用される通信方法として注目されており、ＯＦＤＭ方式について様々な検討が加えられている。
【０００４】
ＯＦＤＭ方式を下り回線に適用し、周波数スケジューリングを行うことが検討されている（非特許文献１参照）。この周波数スケジューリングでは、無線通信基地局装置（以下、単に基地局という）が無線通信移動局装置（以下、単に移動局という）での周波数帯域毎の受信品質に基づいて各移動局に対して適応的にサブキャリアを割り当てるため、最大限のマルチユーザダイバーシチ利得を得ることができ、非常に効率良く通信を行うことができる。このような周波数スケジューリングは、主に、移動局の低速移動時のデータ通信に適した方式である。
【０００５】
よって、周波数スケジューリングを行うには、各移動局は、サブキャリア毎または複数のサブキャリアを束ねたリソースブロック毎の受信品質を基地局に報告することが必要となる。通常、受信品質の報告はＣＱＩ（Channel Quality Indicator）により行われる。
【０００６】
ここで、移動局が全サブキャリアのＣＱＩを報告すると、ＣＱＩの伝送のために使用される上り回線リソースが膨大になるため、上り回線のデータ伝送容量が減少してしまう。そこで、複数のサブキャリアを複数のグループ（サブキャリアグループ）に分け、各移動局は、自局に割り当てられたいずれか１つのサブキャリアグループについてのみＣＱＩを報告することにより、ＣＱＩの伝送量を削減する技術が提案されている（非特許文献２参照）。なお、以下の説明では、サブキャリアグループをＳＣグループと省略していう。
【先行技術文献】
【非特許文献】
【０００７】
【非特許文献１】R1-050604 “Downlink Channelization and Multiplexing for EUTRA”3GPP TSG RAN WG1 Ad Hoc on LTE, Sophia Antipolis, France, 20 - 21 June, 2005
【非特許文献２】R1-050590 “Physical channels and multiplexing in Evolved UTRA downlink”3GPP TSG RAN WG1 Ad Hoc on LTE, Sophia Antipolis, France, 20 - 21 June, 2005
【発明の概要】
【発明が解決しようとする課題】
【０００８】
しかし、非特許文献２記載の技術では、割り当てられたＳＣグループの受信品質が低く、かつ、静止または低速移動していて伝搬路状態の変動が少ない移動局は、周波数スケジューリングにおいての優先度が常に低くなるため、受信品質が良好なサブキャリアを割り当てられる確率が低くなり、その結果、スループットが低下する。
【０００９】
また、この優先度の低い移動局に割当てられているＳＣグループのサブキャリアが他の優先度の高い移動局に割り当てられてしまうと、この優先度の低い移動局に対してはＣＱＩに応じたサブキャリア割当てができなくなってしまうため、その移動局のスループットがさらに低下する。
【００１０】
本発明の目的は、マルチキャリア通信におけるスループットを改善することができる集積回路を提供することである。
【課題を解決するための手段】
【００１１】
本発明の態様の一つに係る移動局は、マルチキャリア信号を構成する複数のサブキャリアを複数のグループに分け、前記複数のグループ毎にサブキャリアのＣＱＩを報告する無線通信移動局装置であって、前記複数のグループにおいてＣＱＩ報告対象のグループを周期的に変化させる制御を行う制御手段と、前記制御に従い、前記複数のグループのいずれか１つのグループに属する各サブキャリアのＣＱＩを生成する生成手段と、生成されたＣＱＩを送信する送信手段と、を具備する構成を採る。
【発明の効果】
【００１２】
本発明によれば、マルチキャリア通信におけるスループットを改善することができる。
【図面の簡単な説明】
【００１３】
【図１】本発明の一実施の形態に係る移動局の構成を示すブロック図
【図２】本発明の一実施の形態に係る基地局の構成を示すブロック図
【図３】本発明の一実施の形態に係る参照テーブル
【図４】本発明の一実施の形態に係るＳＣグループ例
【図５】本発明の一実施の形態に係る報告パタン例
【図６】本発明の一実施の形態に係るＣＱＩ生成タイミングおよびＣＱＩ受信タイミング
【発明を実施するための形態】
【００１４】
以下、本発明の実施の形態について、図面を参照して詳細に説明する。
【００１５】
図１に、本実施の形態に係る移動局の構成を示す。また、図２に、本実施の形態に係る基地局の構成を示す。図１に示す移動局１００は、マルチキャリア信号を構成する複数のサブキャリアを複数のＳＣグループに分け、それら複数のＳＣグループ毎にサブキャリアのＣＱＩを報告する。また、図２に示す基地局２００は、図１に示す構成を採る複数の移動局から報告されるＣＱＩに基づいて周波数スケジューリングを行う。
【００１６】
図１に示す移動局１００において、無線受信部１０２は、図２に示す基地局２００から送信されたマルチキャリア信号であるＯＦＤＭシンボルをアンテナ１０１を介して受信し、そのＯＦＤＭシンボルに対して、ダウンコンバート、Ａ／Ｄ変換等の受信処理を行ってＧＩ除去部１０３に出力する。
【００１７】
ＧＩ除去部１０３は、ＯＦＤＭシンボルに付加されたＧＩ（Guard Interval）を除去してＦＦＴ（Fast Fourier Transform）部１０４に出力する。
【００１８】
ＦＦＴ部１０４は、ＧＩ除去部１０３から入力されるＯＦＤＭシンボルをＦＦＴして周波数領域に変換し、パイロットシンボル、パタン情報およびデータシンボルを得る。パイロットシンボルはＳＩＮＲ検出部１０８に入力され、パタン情報およびデータシンボルは復調部１０５に入力される。このパタン情報は、複数のＳＣグループにおけるＣＱＩの報告パタンを示すものである。
【００１９】
復調部１０５はパタン情報およびデータシンボルを復調し、復号部１０６は復調後のパタン情報およびデータシンボルを復号する。これにより、受信データが得られる。また、復号後のパタン情報はグループ制御部１０７に入力される。
【００２０】
グループ制御部１０７は、パタン情報に従って、複数のＳＣグループにおいてＣＱＩ報告対象のＳＣグループを周期的に変化させる制御（ＳＣグループ制御）を行う。例えば、グループ制御部１０７は、フレーム毎またはＴＴＩ（Transmission Time Interval）毎にＣＱＩ報告対象のＳＣグループを変化させる。このＳＣグループ制御において、グループ制御部１０７は、フレーム毎またはＴＴＩ毎に、ＣＱＩ報告対象のＳＣグループを、ＳＩＮＲ検出部１０８およびＣＱＩ生成部１０９に指示する。なお、ＳＣグループ制御の詳細は後述する。
【００２１】
ＳＩＮＲ検出部１０８は、グループ制御部１０７からの指示に従って、ＣＱＩ報告対象のＳＣグループに属する各サブキャリアのＳＩＮＲ（Signal to Interference and Noise Ratio）をパイロットシンボルを用いて検出し、サブキャリア毎の受信品質としてＣＱＩ生成部１０９に出力する。
【００２２】
ＣＱＩ生成部１０９は、図３に示すテーブルを有し、グループ制御部１０７からの指示に従って、ＣＱＩ報告対象のＳＣグループに属する各サブキャリアのＳＩＮＲに対応するＣＱＩをこのテーブルを参照して生成する。すなわち、ＣＱＩ生成部１０９は、ＳＣグループ制御に従い、複数のＳＣグループのいずれか１つのＳＣグループに属する各サブキャリアのＣＱＩを生成する。例えば、ＳＩＮＲがＢ≦ＳＩＮＲ＜Ａであるサブキャリアについては、ＣＱＩ：５が生成される。なお、ＣＱＩ：５は、１６ＱＡＭおよびＲ＝３/４のＭＣＳ（Modulation and Coding Scheme）に対応する。また、ＣＱＩ：５では、１フレームあたり９０００ビットのデータが送信可能である。つまり、ＣＱＩ：５の伝送レートは、９０００［bit／frame］である。また、このテーブルに示すＳＩＮＲのしきい値Ａ〜Ｅは、Ａが最も大きい値であり、Ｅが最も小さい値である。つまり、図３に示すテーブルでは、受信品質が高くなるほどＣＱＩレベルが高くなる。また、ＣＱＩレベルが高くなるほど伝送レートが高くなる。このようにして生成されたＣＱＩは、符号化部１１０で符号化され、変調部１１１で変調されて、多重部１１４に入力される。
【００２３】
一方、送信データは、符号化部１１２で符号化され、変調部１１３で変調されてデータシンボルとなり、多重部１１４に入力される。
【００２４】
多重部１１４は、変調部１１３から入力されるデータシンボルに変調部１１１から入力されるＣＱＩを時間多重して無線送信部１１５に出力する。なお、ＣＱＩの多重は１フレーム毎または１ＴＴＩ毎に行われる。また、ＣＱＩの多重は、周波数多重でもよい。
【００２５】
無線送信部１１５は、ＣＱＩおよびデータシンボルを含む送信信号に対し、Ｄ／Ａ変換、増幅およびアップコンバート等の送信処理を行ってアンテナ１０１から図２に示す基地局２００へ送信する。
【００２６】
一方、図２に示す基地局２００において、符号化部２０１は、符号化部２０１−１〜２０１−ｎからなる。また、符号化部２０１−１〜２０１−ｎは、基地局２００が通信可能な最大の移動局数ｎだけ備えられる。符号化部２０１−１〜２０１−ｎは、ＣＱＩ補正部２１６から指示される符号化率にて、各移動局（ＭＳ）＃１〜＃ｎへの送信データを符号化し、変調部２０２に出力する。
【００２７】
変調部２０２は、変調部２０２−１〜２０２−ｎからなる。また、変調部２０２−１〜２０２−ｎは、基地局２００が通信可能な最大の移動局数ｎだけ備えられる。変調部２０２−１〜２０２−ｎは、符号化部２０１から入力される符号化データを、ＣＱＩ補正部２１６から指示される変調方式にて変調してデータシンボルを生成し、スケジューリング部２０３に出力する。
【００２８】
スケジューリング部２０３は、ＣＱＩ補正部２１６から入力される補正後のＣＱＩに基づいて、Max CIR法やProportional Fairness法などのスケジューリング方法により、各移動局へのデータシンボルを適応的にサブキャリアに割り当てる周波数スケジューリングを行う。周波数スケジューリングを施されたデータシンボルは、多重部２０６に入力される。
【００２９】
また、パタン情報は、符号化部２０４で符号化され、変調部２０５で変調されて、多重部２０６に入力される。
【００３０】
多重部２０６は、スケジューリング部２０３から入力されるデータシンボルにパイロットシンボルおよび変調部２０５から入力されるパタン情報を時間多重してＩＦＦＴ（Inverse Fast Fourier Transform）部２０７に出力する。これにより、パイロットシンボル、パタン情報またはデータシンボルが、各サブキャリアに割り当てられる。なお、パイロットシンボルの多重は１フレーム毎または１ＴＴＩ毎に行われる。また、パタン情報の多重は、各移動局の通信開始時に行われる。また、パタン情報の多重は、周波数多重でもよい。
【００３１】
ＩＦＦＴ部２０７は、パイロットシンボル、パタン情報またはデータシンボルが割り当てられた複数のサブキャリアに対してＩＦＦＴを行って時間領域に変換し、マルチキャリア信号であるＯＦＤＭシンボルを生成する。このＯＦＤＭシンボルは、ＧＩ付加部２０８に入力される。
【００３２】
ＧＩ付加部２０８は、ＯＦＤＭシンボルの後尾部分と同じ信号をＧＩとしてＯＦＤＭシンボルの先頭に付加して、無線送信部２０９に出力する。
【００３３】
無線送信部２０９は、ＧＩ付加後のＯＦＤＭシンボルに対しＤ／Ａ変換、増幅およびアップコンバート等の送信処理を行ってアンテナ２１０から図１に示す移動局１００へ送信する。
【００３４】
一方、無線受信部２１１は、複数の移動局２００から送信された信号であってＣＱＩを含む信号をアンテナ２１０を介して受信し、この受信信号に対しダウンコンバート、Ａ／Ｄ変換等の受信処理を行う。受信処理後の信号は分離部２１２に入力される。
【００３５】
各移動局からの信号は、周波数分割多重、時間分割多重、符号分割多重、または、その他の多重方式により多重されて受信されるため、分離部２１２は、無線受信部２１１から入力される信号を各移動局（ＭＳ）＃１〜＃ｎ毎に分離して、復調部２１３−１〜２１３−ｎに出力する。
【００３６】
復調部２１３−１〜２１３−ｎ、復号部２１４−１〜２１４−ｎおよびＣＱＩ抽出部２１５−１〜２１５−ｎは、基地局２００が通信可能な最大の移動局数ｎだけ備えられる。
【００３７】
復調部２１３−１〜２１３−ｎは、分離部２１２から入力される信号を復調して復号部２１４−１〜２１４−ｎに出力する。
【００３８】
復号部２１４−１〜２１４−ｎは、復調部２１３−１〜２１３−ｎから入力される信号を復号して、ＣＱＩ抽出部２１５−１〜２１５−ｎに出力する。
【００３９】
ＣＱＩ抽出部２１５−１〜２１５−ｎは、復号部２１４−１〜２１４−ｎから入力される信号からＣＱＩを抽出してＣＱＩ補正部２１６に出力する。また、ＣＱＩ抽出部２１５−１〜２１５−ｎは、ＣＱＩ抽出後の信号、つまり、各移動局（ＭＳ）＃１〜＃ｎ毎の受信データを出力する。
【００４０】
ＣＱＩ補正部２１６は、図３に示すテーブルを有し、各移動局から報告されたＣＱＩを時間の経過に従って補正する。このＣＱＩ補正の詳細は後述する。そして、ＣＱＩ補正部２１６は、補正後のＣＱＩに従ってＭＣＳの適応制御を行って符号化率および変調方式を符号化部２０１および変調部２０２に指示するとともに、補正後のＣＱＩをスケジューリング部２０３に出力する。
【００４１】
次いで、移動局１００におけるＳＣグループ制御の詳細について説明する。
【００４２】
例えば、１ＯＦＤＭシンボルがサブキャリアｆ１〜ｆ１６で構成される場合、本実施の形態では、図４に示すように、サブキャリアｆ１〜ｆ１６を４つのＳＣグループに分ける。すなわち、サブキャリアｆ４，ｆ８，ｆ１２，ｆ１６をＳＣグループ＃１とし、サブキャリアｆ３，ｆ７，ｆ１１，ｆ１５をＳＣグループ＃２とし、サブキャリアｆ２，ｆ６，ｆ１０，ｆ１４をＳＣグループ＃３とし、サブキャリアｆ１，ｆ５，ｆ９，ｆ１３をＳＣグループ＃４とする。そして、これら４つのＳＣグループの報告パタンを示すパタン情報が基地局２００から移動局１００に通知され、グループ制御部１０７は、このパタン情報で示される報告パタンに従ってＳＣグループ制御を行う。
【００４３】
ＳＣグループ＃１〜＃４についての報告パタン例を図５に示す。なお、パタン情報は、移動局のグループ（ＭＳグループ）毎に各移動局に通知される。ここでは、ＳＣグループが４つであるため、それに対応させて、ＭＳグループも４つとした。基地局２００では、通信エリア内に位置する各移動局をこれら４つのＭＳグループのいずれかに分類する。
【００４４】
図５において、ＭＳグループ＃１に対する報告パタンに着目すると、フレーム＃１ではＳＣグループ＃１に属する各サブキャリアのＣＱＩが報告され、フレーム＃２ではＳＣグループ＃３に属する各サブキャリアのＣＱＩが報告され、フレーム＃３ではＳＣグループ＃２に属する各サブキャリアのＣＱＩが報告され、フレーム＃４ではＳＣグループ＃４に属する各サブキャリアのＣＱＩが報告され、フレーム＃５では再びＳＣグループ＃１に属する各サブキャリアのＣＱＩが報告される。このように、本実施の形態では、ＣＱＩ報告対象のＳＣグループを周期的に変化させる。これにより、移動局１００は、レベルが低いＣＱＩばかりを報告し続けることがなくなるため、スループットが改善される。
【００４５】
また、本実施の形態では、グループ制御部１０７は、ＳＣグループ＃１〜＃４の報告周期をすべて等しくしたＳＣグループ制御を行う。図５に示す報告パタン例では、各ＳＣグループの報告周期を、すべて４フレーム毎とした。よって、このように、各ＳＣグループの報告周期をすべて等しくすることにより、各ＳＣグループのＣＱＩが均等に報告され、１周期（ここでは、４フレーム）経過した時点で、基地局２００はすべてのサブキャリアのＣＱＩを用いて周波数スケジューリングを行うことができ、よって、受信品質が高く優先度の高い移動局が存在する場合でも、優先度の低い移動局に対してＣＱＩに応じた周波数スケジューリングを行うことが可能となるため、さらにスループットを改善することができる。
【００４６】
また、図５において、ＭＳグループ＃１〜＃４に対する４つの報告パタンを比較すると、報告パタンが互いに相違する。例えば、フレーム＃１では、ＭＳグループ＃１の移動局はＳＣグループ＃１のＣＱＩを報告し、ＭＳグループ＃２の移動局はＳＣグループ＃３のＣＱＩを報告し、ＭＳグループ＃３の移動局はＳＣグループ＃２のＣＱＩを報告し、ＭＳグループ＃４の移動局はＳＣグループ＃４のＣＱＩを報告する。このように、各移動局のグループ制御部１０７は、他の移動局における報告パタンと互いに異なる報告パタンに従ってＣＱＩ報告対象のＳＣグループを変化させる。これにより、多数の移動局が同じサブキャリアのＣＱＩを同時に報告することがなくなる。よって、受信品質が良好なサブキャリアが移動局間で同一となってしまうことがなくなるので、基地局２００での周波数スケジューリングを効率良く行うことができる。
【００４７】
また、図５におけるすべての報告パタンにおいて、ＣＱＩ報告対象のＳＣグループは、ＳＣグループ＃１，ＳＣグループ＃３，ＳＣグループ＃２，ＳＣグループ＃４，ＳＣグループ＃１，…の順で繰り返し変化する。ここで、図４に示すグループ分けに着目すると、ＳＣグループ＃１とＳＣグループ＃３との間、および、ＳＣグループ＃２とＳＣグループ＃４との間では、互いに隣接するサブキャリアが存在しない。つまり、本実施の形態では、グループ制御部１０７は、複数のＳＣグループにおいて互いに隣接するサブキャリアを含まない２つのＳＣグループを連続して報告対象とする。例えば、ＳＣグループ数をＭとした場合、報告パタンを、ＳＣグループ＃１，ＳＣグループ＃(Ｍ/２＋１)，ＳＣグループ＃２，ＳＣグループ＃(Ｍ/２＋２)，…，ＳＣグループ＃(Ｍ/２)，ＳＣグループ＃Ｍとする。これにより、周波数選択性が緩く、近接するサブキャリア間では受信品質の差が小さい移動局でも、レベルが低いＣＱＩを連続して報告することがなくなるため、スループットが向上する。
【００４８】
次いで、基地局２００におけるＣＱＩ補正の詳細について説明する。ここでは、ＭＳグループ＃１に対する報告パタンを例にして説明する。よって、移動局（ＭＳ）からのＣＱＩの報告パタンは、図６に示すようになる。
【００４９】
ここで、フェージング変動があると、ＣＱＩの信頼性は移動局１００での生成時刻と基地局２００での使用時刻との間が長くなるほど低下する。そこで、その信頼性低下を補償すべく、基地局２００のＣＱＩ補正部２１６は、移動局１００から報告されたＣＱＩを時間の経過に従って補正する。
【００５０】
具体的には、例えば、図６に示すように、基地局（ＢＳ）２００は、フレーム＃３では、フレーム＃１で生成され、フレーム＃２で受信されたＳＣグループ＃１のＣＱＩと、フレーム＃２で生成され、フレーム＃３で受信されたＳＣグループ＃３のＣＱＩを使用することができる。このとき、ＳＣグループ＃１のＣＱＩについては、受信時刻（フレーム＃２）から１フレームだけ時間が経過しているため、ＣＱＩ補正部２１６は、そのＣＱＩのレベルを１つ下げる補正を行う。
【００５１】
また、フレーム＃５では、基地局（ＢＳ）２００は、ＳＣグループ＃１〜＃４すべてのＣＱＩを使用することができるが、ＣＱＩ補正部２１６は、同様にして、受信時刻（フレーム＃４）から１フレーム経過しているＳＣグループ＃２のＣＱＩのレベルを１つ下げ、受信時刻（フレーム＃３）から２フレーム経過しているＳＣグループ＃３のＣＱＩのレベルを２つ下げ、受信時刻（フレーム＃２）から３フレーム経過しているＳＣグループ＃１のＣＱＩのレベルを３つ下げる補正を行う。
【００５２】
このように、ＣＱＩ補正部２１６は、受信時刻と使用時刻との間の経過時間がより長いＣＱＩほど補正量をより大きくする。図３のテーブルを参照するに、ＣＱＩレベルを１つ下げることにより、伝送レートが一段階低くなるため、それに伴い誤り率特性を一段階向上させることができる。よって、このような補正を行うことで、時間の経過に伴うＣＱＩの信頼性低下を補償することができる。
【００５３】
なお、実際には、フェージング変動により受信品質が上がる場合もあるが、本実施の形態では、伝送誤りを確実に防ぐために、ＣＱＩレベルを下げて伝送レートをより低くする補正を行う。つまり、本実施の形態では、ＣＱＩ補正部２１６は、移動局１００から報告されたＣＱＩを、より低い伝送レートに対応するＣＱＩに補正する。
【００５４】
なお、送信データ種別に応じてＣＱＩ補正の有無を切り替えてもよい。例えば、音声パケットなど遅延要求が厳しい送信データについては伝送誤りを極力避けるために上記のＣＱＩ補正を行い、電子メールデータなど遅延要求が緩い送信データについては伝送レートをなるべく高くするために上記のＣＱＩ補正を行わないようにする。
【００５５】
また、上記のＣＱＩ補正では、１フレーム経過する毎にＣＱＩレベルを１レベル下げるようにしたが、フェージングによる伝搬路の時間変動速度に応じたレベルだけＣＱＩレベルを下げるようにしてもよい。すなわち、フェージング変動がより速い、つまり、ＣＱＩ補正部２１６は、移動速度がより速い移動局から報告されたＣＱＩほど補正量をより大きくしてもよい。これにより、伝搬路変動の速さに応じたより正確なＣＱＩ補正が行えるため、さらに伝送誤りを防ぐことができる。
【００５６】
このように、本実施の形態によれば、マルチキャリア通信におけるスループットを改善することができるとともに、誤り率特性を向上させて伝送誤りを防ぐことができる。
【００５７】
以上、本発明の実施の形態について説明した。
【００５８】
なお、移動局はUE、基地局はNode B、サブキャリアはトーンと称されることがある。
【００５９】
また、上記実施の形態では、周波数スケジューリングをサブキャリア単位で行うものとして説明したが、周波数スケジューリングはリソースブロック単位で行ってもよい。また、リソースブロックは、サブチャネル、サブキャリアブロック、サブバンド、または、チャンクと称されることがある。さらに、リソースブロックは、連続したサブキャリアから構成れることもあるし、非連続のサブキャリアから構成されることもある。
【００６０】
また、上記実施の形態では、ＣＱＩの生成をＳＩＮＲに基づいて行ったが、ＳＩＮＲの代わりに、ＳＮＲ、ＳＩＲ、ＣＩＮＲ、受信電力、干渉電力、ビット誤り率、スループット、所定の誤り率を達成できるＭＣＳ（Modulation and Coding Scheme）等に基づいてＣＱＩを生成してもよい。つまり、本発明では、ＣＱＩの生成を、受信品質を示す上記いずれのパラメータに基づいて行うこともできる。また、上記実施の形態では、受信品質の検出をパイロットシンボルを用いて行ったが、パイロットシンボル以外の信号（例えば、データシンボル）を用いて受信品質を検出してもよい。
【００６１】
また、上記実施の形態では、ＣＱＩの報告を毎フレーム行っていたが、所定の間隔毎、例えば３フレーム毎にＣＱＩの報告を行うようにしてもよい。
【００６２】
また、ＳＩＮＲ等に対してＤＣＴ変換等の変換を施し、変換後の値をＣＱＩとして報告してもよい。
【００６３】
また、上記実施の形態では、各ＳＣグループを非連続のサブキャリアから構成したが、連続したサブキャリアから各ＳＣグループを構成してもよい。
【００６４】
また、上記実施の形態では、本発明をハードウェアで構成する場合を例にとって説明したが、本発明はソフトウェアで実現することも可能である。
【００６５】
また、上記実施の形態の説明に用いた各機能ブロックは、典型的には集積回路であるＬＳＩとして実現される。これらは個別に１チップ化されてもよいし、一部またはすべてを含むように１チップ化されてもよい。ここでは、ＬＳＩとしたが、集積度の違いにより、ＩＣ、システムＬＳＩ、スーパーＬＳＩ、ウルトラＬＳＩと称されることもある。
【００６６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００６７】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてあり得る。
【００６８】
本明細書は、２００５年８月１９日出願の特願２００５−２３８９５３に基づくものである。この内容はすべてここに含めておく。
【産業上の利用可能性】
【００６９】
本発明は、移動体通信システム等に適用することができる。
【図１】
2010268528.tif 000003
【図２】
2010268528.tif 000004
【図３】
2010268528.tif 000005
【図４】
2010268528.tif 000006
【図５】
2010268528.tif 000007
【図６】
2010268528.tif 000008